(57)【要約】【課題】より簡単で、且つ直感的に理解しやすい無線近距離通信技術を用いた情報処理装置を提供する。【解決手段】複合機１は、無線近距離通信用の複数のアンテナ１１〜１５を備え、複数のアンテナ１１〜１５のそれぞれが、通信相手となる端末装置を検出すると、検出した端末装置と協働して、端末装置を検出したアンテナ１１〜１５に予め対応付けられている処理を実行する。【選択図】図１
2010177938.tif 000002
【特許請求の範囲】
【請求項１】
無線近距離通信用の複数のアンテナを備え、
前記複数のアンテナのそれぞれが、通信相手となる端末装置を検出すると、前記検出した端末装置と協働して、前記端末装置を検出したアンテナに予め対応付けられている処理を実行する情報処理装置。
【請求項２】
スキャナーをさらに備え、
前記複数のアンテナのうちの第１のアンテナが第１の端末装置を検出すると、前記スキャナーが読み込んだ画像データを、前記第１のアンテナを介して前記第１の端末装置へ送り、前記第１の端末装置に前記画像データを保存させる、請求項１記載の情報処理装置。
【請求項３】
前記スキャナーは、
原稿台と、
スキャナーヘッドを搭載したキャリッジと、を備え、
前記複数のアンテナのうちの第２のアンテナは前記キャリッジに搭載されていて、
前記情報処理装置は、前記第２のアンテナが前記キャリッジとともに移動しながら、前記原稿台に置かれた複数の端末装置を順次検出するごとに、前記複数の端末装置とそれぞれ協働して、前記第２のアンテナに予め対応付けられている処理を実行する、請求項２記載の情報処理装置。
【請求項４】
プリンターをさらに備え、
前記情報処理装置は、前記第２のアンテナを介して、前記複数の端末装置のそれぞれから、各端末装置の画像表示部に表示されている画像の画像データを取得し、前記プリンターを用いて、前記取得した画像データに基づく印刷を行う、請求項３記載の情報処理装置。
【請求項５】
プリンターをさらに備え、
前記情報処理装置は、前記複数のアンテナのうちの第３のアンテナが第３の端末装置を検出すると、前記第３のアンテナを介して前記第３の端末装置の画像表示部に表示されている画像の画像データを取得し、前記プリンターを用いて、前記取得した画像データに基づく印刷を行う、請求項１〜３のいずれかに記載の情報処理装置。
【請求項６】
記憶手段をさらに備え、
前記情報処理装置は、前記複数のアンテナのうちの第４のアンテナが第４の端末装置を検出すると、前記第４の端末装置に保存されている画像データを、前記第４のアンテナを介して取得して前記記憶手段に格納する、請求項１〜５のいずれかに記載の情報処理装置。
【請求項７】
前記無線近距離通信用の複数のアンテナは、Ｔｒａｎｓｆｅｒ  Ｊｅｔ用の複数のカプラーである、請求項１〜６のいずれかに記載の情報処理装置。
【発明の詳細な説明】
【技術分野】
【０００１】
本発明は、無線近距離通信用の複数のアンテナを備えた情報処理装置に関し、特にいずれかのアンテナが通信相手となる端末装置を検出して、自動的に処理を行う技術に関する。
【背景技術】
【０００２】
ＩＣを用いた定期券とその読み取り装置を備えた自動改札機による自動改札システムに代表されるように、近年、近距離無線通信を用いた種々の製品が実用化されている。
【先行技術文献】
【特許文献】
【０００３】
【特許文献１】特開２００８−５９０９８号公報
【発明の概要】
【発明が解決しようとする課題】
【０００４】
ところで、個人向けまたはオフィス向けの情報処理装置と端末装置との組み合わせにおいても、無線近距離通信技術が広く応用されることが期待されている。この技術を広く普及させるためには、より簡単で、且つ直感的に理解しやすい使用方法であることが重要である。
【０００５】
そこで、本発明の目的は、より簡単で、且つ直感的に理解しやすい無線近距離通信技術を用いた情報処理装置を提供することである。
【課題を解決するための手段】
【０００６】
本発明の一つの実施態様に従う情報処理装置は、無線近距離通信用の複数のアンテナを備え、前記複数のアンテナのそれぞれが、通信相手となる端末装置を検出すると、前記検出した端末装置と協働して、前記端末装置を検出したアンテナに予め対応付けられている処理を実行する。
【０００７】
好適な実施形態では、スキャナーをさらに備える。そして、前記複数のアンテナのうちの第１のアンテナが第１の端末装置を検出すると、前記スキャナーが読み込んだ画像データを、前記第１のアンテナを介して前記第１の端末装置へ送り、前記第１の端末装置に前記画像データを保存させるようにしてもよい。
【０００８】
好適な実施形態では、前記スキャナーは、原稿台と、スキャナーヘッドを搭載したキャリッジと、を備える。そして、前記複数のアンテナのうちの第２のアンテナは前記キャリッジに搭載されていて、前記情報処理装置は、前記第２のアンテナが前記キャリッジとともに移動しながら、前記原稿台に置かれた複数の端末装置を順次検出するごとに、前記複数の端末装置とそれぞれ協働して、前記第２のアンテナに予め対応付けられている処理を実行するようにしてもよい。
【０００９】
好適な実施形態では、プリンターをさらに備える。そして、前記情報処理装置は、前記第２のアンテナを介して、前記複数の端末装置のそれぞれから、各端末装置の画像表示部に表示されている画像の画像データを取得し、前記プリンターを用いて、前記取得した画像データに基づく印刷を行ってもよい。
【００１０】
好適な実施形態では、プリンターをさらに備える。そして、前記情報処理装置は、前記複数のアンテナのうちの第３のアンテナが第３の端末装置を検出すると、前記第３のアンテナを介して前記第３の端末装置の画像表示部に表示されている画像の画像データを取得し、前記プリンターを用いて、前記取得した画像データに基づく印刷を行ってもよい。
【００１１】
好適な実施形態では、記憶手段をさらに備える。そして、前記情報処理装置は、前記複数のアンテナのうちの第４のアンテナが第４の端末装置を検出すると、前記第４の端末装置に保存されている画像データを、前記第４のアンテナを介して取得して前記記憶手段に格納するようにしてもよい。
【００１２】
好適な実施形態では、前記無線近距離通信用の複数のアンテナは、Ｔｒａｎｓｆｅｒ  Ｊｅｔ用の複数のカプラーであってもよい。
【図面の簡単な説明】
【００１３】
【図１】本発明の一実施形態に係るプリンター及びスキャナーを備えた情報処理装置である複合機１の外観図である。
【図２】本実施形態に係る複合機１の構成図である。
【図３】本実施形態に係る端末装置６〜９の一例を示す。
【発明を実施するための形態】
【００１４】
以下、本発明の一実施形態に係る情報処理装置について、図面を参照して説明する。
【００１５】
図１は、本実施形態に係るプリンター及びスキャナーを備えた情報処理装置である複合機１の外観図である。
【００１６】
同図に示すように、複合機１は略直方体の筐体１０を有している。筐体１０の上面には原稿台２０が設けられていて、複合機１は、筐体１０内部に収納されているキャリッジ４１に搭載されている読み取りヘッド４３（図２参照）が、原稿台２０に置かれた原稿を読み込むことによりスキャナーとして機能する。また、筐体１０の背面には給紙トレイ３０、正面には排紙トレイ４０がそれぞれ設けられている。そして、複合機１は、筐体１０内部に収容されているプリントエンジン３１（図２参照）が、給紙トレイ３０から給紙された印刷用紙５に印刷を行って、排紙トレイ４０に排紙するプリンターとして機能する。
【００１７】
また、複合機１は、無線近距離通信用の複数のアンテナ１１，１２，１３，１４，１５を備える。本実施形態では、無線近距離通信の一例としてＴｒａｎｓｆｅｒ  Ｊｅｔを用いた場合を例にとって説明する。そこで、以下の説明では、アンテナをカプラー１１，１２，１３，１４，１５と呼ぶ。
【００１８】
カプラー１１は筐体１０の正面左端下部に、カプラー１２は筐体１０の右側面下端手前側に、カプラー１３は筐体１０上面右端奥に、カプラー１４は筐体１０の正面右端上部に、カプラー１５はスキャナー４のキャリッジ４１（図２参照）上に、それぞれ設けられている。
【００１９】
以下、この複合機１について、詳細に説明する。
【００２０】
図２は、複合機１の構成図である。
【００２１】
同図に示すように、複合機１は、制御部２と、プリンター３と、スキャナー４とを備える。制御部２は、ＣＰＵ２１と、ＲＯＭ２２と、ＲＡＭ２３と、大容量の記憶装置としてのＨＤ（ハードディスク）装置２４と、カプラー１１〜１４とを備える。カプラー１１〜１４は、それぞれ、図１で説明した位置において、筐体１０から露出するように配置されている。
【００２２】
ＣＰＵ２１は、ＲＡＭ２３を利用しながら、ＲＯＭ２２またはＨＤ装置２４に格納されている所定のプログラムを実行することによって、以下に説明する複合機１の各機能を実現する。
【００２３】
プリンター３は、印刷を実行するプリントエンジン３１及び図示しない紙送り機構などを有している。
【００２４】
スキャナー４は、光源４２及び読み取りヘッド４３を搭載したキャリッジ４１を有する。カプラー１５はキャリッジ４１に搭載されていて、キャリッジ４１と一体となって移動する。
【００２５】
図３は、カプラー１１〜１５の通信相手となる端末装置の一例を示す。本実施形態でカプラー１１〜１５の通信相手となる端末装置６〜９は、例えば、可搬型の情報処理装置であって、デジタルカメラ６、フォトビューワー７、携帯電話機８、及びストレージ装置９などでよい。デジタルカメラ６、フォトビューワー７、携帯電話機８、及びストレージ装置９は、それぞれ、内部にハードディスク、あるいはフラッシュメモリなどの記憶装置６２，７２，８２，９２と、複合機１のいずれからのカプラー１１〜１５と通信を行うためのカプラー６１，７１，８１，９１とを備える。デジタルカメラ６、フォトビューワー７及び携帯電話機８は、さらに、液晶パネルなどの表示装置６３，７３，８３を備える。以下の説明において、デジタルカメラ６、フォトビューワー７、携帯電話機８、及びストレージ装置９に共通する機能ないし構成について説明する際は、端末装置６〜９と記載し、個別の端末装置に固有の機能ないし構成について説明する際は、それぞれの名称を記載する。
【００２６】
再び図２を参照すると、本実施形態では、複合機１の各カプラー１１〜１５が通信相手となる端末装置６〜９を検出すると、検出した端末装置６〜９と協働して、端末装置６〜９を検出したカプラー１１〜１５に予め対応付けられている処理を実行する。例えば、各カプラー１１〜１５には、それぞれ特定の機能が割り当てられていて、各カプラー１１〜１５が端末装置６〜９に搭載されたカプラー６１〜９１のいずれかを検出すると、検出されたカプラー６１〜９１を搭載した端末装置６〜９と複合機１とが、互いのカプラー１１〜１５、６１〜９１を用いて通信を行って、端末装置６〜９を検出した複合機１のカプラー１１〜１５に割り当てられた機能を実現する。
【００２７】
これにより、ユーザは、所望の機能を実行するために、面倒な操作を行わなくても、その機能に対応するカプラーに端末装置を近づけるだけで行うことができる。以下、実行される機能の具体例を挙げて説明する。
【００２８】
例えば、カプラー１１には、端末装置６〜９からのデータ読み込み機能が対応付けられている。すなわち、カプラー１１（第４のアンテナ）が通信相手となる端末装置６〜９（第４の端末装置）を検出すると、複合機１は、その端末装置６〜９に保存されている画像データを、カプラー１１を介して取得して、ＨＤ装置２４に格納する。これにより、端末装置６〜９のカプラー６１〜９１をカプラー１１に近づけるだけ、端末装置６〜９の記憶装置６２〜９２に格納されているデータを複合機１にバックアップすることができる。
【００２９】
カプラー１２には、これとは逆に、端末装置６〜９に対してデータを出力する機能が対応付けられている。すなわち、カプラー１２が通信相手となる端末装置６〜９を検出すると、複合機１は、ＨＤ装置２４に格納されているデータを、カプラー１２を介して端末装置６〜９に対して出力し、それぞれの記憶装置６２〜９２に保存させる。端末装置６〜９に対して出力するデータは、例えば、ＨＤ装置２４内の特定のフォルダに格納されているデータを対象としても良いし、特定の日付のデータを対象としても良い。
【００３０】
これにより、カプラー１２に端末装置のカプラー６１〜９１を近づけるだけで、複合機１に格納されているデータを端末装置６〜９にバックアップすることができる。
【００３１】
カプラー１３には、スキャナー４が読み込んだ画像データを端末装置６〜９へ出力する機能が対応付けられている。すなわち、カプラー１３（第１のアンテナ）が通信相手となる端末装置６〜９（第１の端末装置）を検出すると、複合機１は、スキャナー４が読み込んだ画像データを、カプラー１３を介して端末装置６〜９へ送り、端末装置６〜９に画像データを保存させる。
【００３２】
これにより、スキャナー４がスキャンを実行する際に、端末装置６〜９のカプラー６１〜９１をカプラー１３に近づけるだけ、スキャンした画像データを端末装置６〜９の記憶装置６２〜９２に格納することができる。
【００３３】
カプラー１４には、端末装置６〜９に格納されている画像データの印刷機能が対応付けられている。すなわち、カプラー１４（第３のアンテナ）が通信相手となる端末装置６〜９（第３の端末装置）を検出すると、複合機１は、その端末装置６〜９の記憶装置６２〜９２に保存されている画像データを、カプラー１４を介して取得して、一旦、ＨＤ装置２４に格納する。そして、読み込んだ画像データに基づいて、プリンター３が画像の印刷を実行する。特に、端末装置がデジタルカメラ６、フォトビューワー７、及び携帯電話機８である場合には、表示装置６３〜８３に表示中の画像の画像データを読み出して、印刷を行うようにしても良い。
【００３４】
これにより、カプラー１４に端末装置６〜８のカプラー６１〜８１を近づけるだけで、複合機１に格納されている画像データ、特に表示装置６３〜８３に表示中の画像の画像を端末装置６〜８から取得して、これを印刷することができる。これは、ユーザにとっても、直感的でわかりやすい。
【００３５】
カプラー１５（第２のアンテナ）は、キャリッジ４１に搭載されていて、カプラー１５がキャリッジ４１とともに移動しながら、原稿台２０に置かれた複数の端末装置６〜９を順次検出するごとに、複数の端末装置６〜９とそれぞれ協働して、前記第２のアンテナに予め対応付けられている処理を実行する。
【００３６】
例えば、カプラー１５には、カプラー１３と同様に、端末装置６〜９に格納されている画像データの印刷機能を対応付けてもよい。そして、例えば、原稿台２０に予め一台以上の端末装置６〜９を置いておく。その際、それぞれのカプラー６１〜９１は、下に向けておくと良い。そして、カプラー１５がキャリッジ４１とともに移動しながら、順次カプラー６１〜９１を検出し、端末装置６〜９から画像データを読み出す。読み出した画像データは、ＨＤ装置２４に一時格納された後、プリンター３によって印刷される。特に、端末装置がデジタルカメラ６、フォトビューワー７、及び携帯電話機８である場合には、表示装置６３〜８３に表示中の画像の画像データを読み出して、印刷を行うようにしても良い。
【００３７】
これにより、複数の端末装置から連続的にデータを読み出して印刷を実行することができる。
【００３８】
以上説明した実施形態に係る複合機１によれば、無線近距離通信技術を用いて、より簡単で、且つ直感的に理解しやすい機能を実現することができる。
【００３９】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００４０】
例えば、上述の実施形態では、無線近距離通信としてＴｒａｎｓｆｅｒ  Ｊｅｔを用いた例について説明したが、本発明は、例えば、赤外線通信などＴｒａｎｓｆｅｒ  Ｊｅｔ以外の無線近距離通信を適用することも可能である。
【符号の説明】
【００４１】
１      複合機
２           制御部
３           プリンター
４      スキャナー
５           印刷用紙
６           デジタルカメラ
７           フォトビューワー
８           携帯電話機
９           ストレージ装置
１０       筐体
１１，１２，１３，１４，１５     カプラー
２０       原稿台
４１       キャリッジ
【図１】
2010177938.tif 000003
【図２】
2010177938.tif 000004
【図３】
2010177938.tif 000005